(57)【要約】【課題】十分な剛性を有するとともに、連結作業に係る利便性がよい包装箱を提供する。【解決手段】底壁１１と、底壁１１の対向する両側縁に連設した側壁１２Ａ，１２Ｂと、これら側壁１２Ａ，１２Ｂの両端縁に連設した巻込片２２Ａ，２２Ｂと、底壁１１の両端縁に連設し組立状態で巻込片２２Ａ，２２Ｂの外側に重畳するように立設される端壁１６と、側壁１２Ａ，１２Ｂおよび端壁１６が底壁１１から立設した組立状態に維持するロック手段（ロック片２０，２６およびロック穴２１，２７）とを備え、端壁１６に略Ｕ字形状をなすように切断線３０を設けた切り起こし構造の係止部２８を有する２以上の箱体１０Ａ，１０Ｂを設けるとともに、箱体１０Ａ，１０Ｂの巻込片２２Ａ，２２Ｂと端壁１６との間に挿入される一対の挿入部３４を備え、各挿入部３４に係止部２８が挿入係止される係止穴３５を有する連結部材３１を設けた構成とする。【選択図】図１
2007045428.tif 000002
【特許請求の範囲】
【請求項１】
底壁と、該底壁の対向する両側縁に連設した側壁と、これら側壁の両端縁に連設した巻込片と、前記底壁の両端縁に連設し組立状態で前記巻込片の外側に重畳するように立設される端壁と、前記側壁および端壁が底壁から立設した組立状態に維持するロック手段とを備え、前記端壁に略Ｕ字形状をなすように切断線を設けた切り起こし構造の係止部を有する２以上の箱体を設けるとともに、
前記箱体の巻込片と端壁との間に挿入される一対の挿入部を備え、各挿入部に前記係止部が挿入係止される係止穴を有する連結部材を設け、
前記連結部材により２以上の箱体を一体的に連結したことを特徴とする包装箱。
【請求項２】
前記連結部材の一対の挿入部間に、該連結部材を分割する破断手段を設けるとともに、該連結部材の外周縁に、前記破断手段に連続する突片を突設したことを特徴とする請求項１に記載の包装箱。
【発明の詳細な説明】
【技術分野】
【０００１】
本発明は、２以上の独立した箱体を一体的に連結可能な包装箱に関するものである。
【背景技術】
【０００２】
従来、生花などの商品は、長尺な包装箱に収容した状態で輸送されている。しかし、この商品は、同一場所に複数輸送することが多く、長尺な包装箱を個別に搬送するには無駄が多い。そのため、この種の商品を収容する包装箱は、独立した２つの箱体を一体的に連結可能に構成される。
【０００３】
この２以上の独立した箱体を一体的に連結可能とした本発明の包装箱に関連する先行技術文献情報としては次のものがある。
【０００４】
【特許文献１】実開昭５６−８４９３０号公報
【特許文献２】実開平３−１１６１９号公報
【０００５】
特許文献１には、一対の箱体を、平板状をなす連結板により一体的に連結可能とした包装箱が記載されている。箱体は、それぞれ一対の側壁および端壁を横方向に連設し、各壁の上下端縁に底蓋および天蓋を構成するフラップを連設した構成をなす。そして、所定の側壁の両端には、上端から略中間部分まで延びるスリットが設けられている。また、連結板は、側壁の全高と略同一の全高を有する板体であり、その中央には、下端から略中間部分まで延びる係合溝が設けられている。
【０００６】
また、特許文献２には、同様に一対の箱体を平板状の連結板により一体的に連結可能とした包装箱が記載されている。そして、この特許文献２では、箱体を、底壁と、該底壁の両側縁に連設した側壁と、一方の側壁に連設した蓋壁と、側壁の両端縁に連設した巻込片と、底壁の両端縁に連設した端壁とを備え、前記蓋壁を連設していない他方の側壁の両端に連結板を係止するスリットを設けた構成としている。
【０００７】
これらの包装箱では、独立した２個の箱体は、上端開口を閉塞していない状態で、互いのスリットが一致するように隣接配置する。そして、これら箱体のスリットに跨って、前記連結板の係合溝を噛み合わせるように組み付けることにより、該連結板を介して２個の箱体を連結する。その後、各箱体のフラップまたは蓋壁で、その上端開口を閉塞することにより封緘し、この状態で輸送される。
【０００８】
しかしながら、これらの包装箱は、側壁の全高の略半分の領域にかけてスリットを設ける必要があるため、剛性が低下するという問題がある。また、２個の箱体の連結作業時には、必ず箱体の上端開口を開放した状態で行う必要があるため、予め特定の場所に輸送する数を把握し、全てが揃った状態で、連結するとともに、各箱体を閉塞する必要があるため、利便性が悪いという問題がある。
【発明の開示】
【発明が解決しようとする課題】
【０００９】
本発明は、従来の問題に鑑みてなされたもので、十分な剛性を有するとともに、連結作業に係る利便性がよい包装箱を提供することを課題とするものである。
【課題を解決するための手段】
【００１０】
前記課題を解決するため、本発明の包装箱は、底壁と、該底壁の対向する両側縁に連設した側壁と、これら側壁の両端縁に連設した巻込片と、前記底壁の両端縁に連設し組立状態で前記巻込片の外側に重畳するように立設される端壁と、前記側壁および端壁が底壁から立設した組立状態に維持するロック手段とを備え、前記端壁に略Ｕ字形状をなすように切断線を設けた切り起こし構造の係止部を有する２以上の箱体を設けるとともに、前記箱体の巻込片と端壁との間に挿入される一対の挿入部を備え、各挿入部に前記係止部が挿入係止される係止穴を有する連結部材を設け、  前記連結部材により２以上の箱体を一体的に連結した構成としている。
【００１１】
この包装箱では、前記連結部材の一対の挿入部間に、該連結部材を分割する破断手段を設けるとともに、該連結部材の外周縁に、前記破断手段に連続する突片を突設することが好ましい。
【発明の効果】
【００１２】
本発明の包装箱では、各箱体には、切り起こし構造の係止部を設けただけであり、何ら打ち抜き部分を設けていないため、剛性の低下を防止できる。また、この箱体を連結する場合、連結部材の挿入部を箱体の巻込片と端壁との間に挿入した後、切り起こし構造の係止部を押し込み、該係止部を挿入部の係止穴に挿入係止することにより、２以上の箱体を一体的に連結することができる。即ち、連結部材は、独立した箱体に挿入部を圧入するように挿入することにより、連結できるため、箱体の上端開口が閉塞されている状態、および、閉塞されていない状態のいずれでも可能である。
【００１３】
また、連結部材には、破断手段に連続する突片を設けているため、この突片が箱体への挿入時のストッパとしての役割をなす。そして、この突片が箱体に当接した状態は、係止部と係止穴とが対応した位置関係をなすため、その連結作業性を非常に向上できる。しかも、輸送先では、前記突片を把持して引っ張ることにより、破断手段を介して連結部材を分割し、箱体を個別に開封および保管できる。
【発明を実施するための最良の形態】
【００１４】
以下、本発明の実施の形態を図面に従って説明する。
【００１５】
図１から図５は、本発明に係る実施形態の包装箱を示す。この包装箱は、同一構造をなす一対の箱体１０Ａ，１０Ｂを連結部材３１により一体的に連結可能としたものである。各箱体１０Ａ，１０Ｂおよび連結部材３１は、表裏一対のライナの間に波状の中しんを配設した段ボール紙を、周知のダイカッター方式の紙器打抜装置によって図５（Ａ），（Ｂ）に示す一枚のブランクとして打ち抜いて形成される。
【００１６】
図５（Ａ）に示すように、前記箱体１０Ａ，１０Ｂのブランクは同一であり、長方形状をなす底壁１１を備え、この底壁１１の対向する上下両側縁に一対の側壁１２Ａ，１２Ｂが連設されている。上方の側壁１２Ａには、組立状態の箱体１０Ａ，１０Ｂの上端開口を閉塞する蓋壁１３が連設され、下方の側壁１２Ｂには、蓋壁１３の先端を載置して支持する細幅の支持壁１４が連設されている。そして、これら底壁１１、側壁１２Ａ，１２Ｂ、蓋壁１３および支持壁１４の各境界部分には、肉厚を圧縮するように罫を入れて形成した折曲線１５が設けられている。
【００１７】
そのうち、底壁１１には、その両端縁に略正方形状をなす端壁１６が連設され、その境界部分に前記と同様の折曲線１７が設けられている。これら端壁１６には、組立状態で上端に位置する先端縁に内向きに屈曲される桟部１８が連設され、その境界部分に折曲線１９が設けられている。この桟部１８の先端両側縁には、組立状態で端壁１６が底壁１１から立設した組立状態に維持する第１のロック手段として第１ロック片２０が突設され、該第１ロック片２０を、組立状態で側壁１２Ａ，１２Ｂの上方両端に位置するように形成した第１ロック穴２１に挿入係止する構成としている。
【００１８】
また、側壁１２Ａ，１２Ｂには、その両端縁に前記端壁１６の内側に重畳される巻込片２２Ａ，２２Ｂが連設され、その境界部分に折曲線２３が設けられている。そのうち、巻込片２２Ａには、組立状態で下向きに窪むように略Ｖ形状に切り欠いた第１係合溝２４が設けられている。また、巻込片２２Ｂには、組立状態で上向きに窪むように略逆Ｖ字形状に切り欠いた第２係合溝２５が設けられている。これら係合溝２４，２５は、それぞれの底部分が組立状態で下方に位置するように、第１係合溝２４を大きく、第２係合溝２５を小さく形成している。さらに、巻込片２２Ｂには、組立状態で上端に位置する縁に、係合させた巻込片２２Ａ，２２Ｂを組立状態に維持する第２のロック手段として第２ロック片２６が突設され、該第２ロック片２６を、桟部１８の基部である折曲線１９の近傍に位置するように形成した第２ロック穴２７に挿入係止する構成としている。
【００１９】
そして、本実施形態の箱体１０Ａ，１０Ｂの端壁１６には、切り起こし構造の係止部２８が設けられている。具体的には、箱体１０Ａ，１０Ｂは、一方の側壁１２Ｂ，１２Ｂを互いに重畳させる接続側とし、他方の側壁１２Ａ，１２Ａを連結状態で外側に位置する外壁側としている。そして、端壁１６において、後述する連結部材３１の接続端縁１６ａの側に偏った位置に係止部２８が設けられている。この係止部２８は、接続端縁１６ａと平行であり、組立状態で縦方向に延びる折曲線２９が設けられ、この折曲線２９の両端を連続するように、直交方向に延びる第１切断部３０ａ，３０ａと、折曲線２９と平行に第１切断部３０ａ，３０ａの端部間を結ぶ第２切断部３０ｂとからなる略Ｕ字形状の切断線３０を設けることにより形成されている。
【００２０】
図５（Ｂ）に示すように、前記連結部材３１は、両側縁を円弧状とした略長楕円形状のものである。この連結部材３１の中央には、該連結部材３１を分割する破断手段として縦方向に延びるジッパー３２が設けられている。このジッパー３２は、所定間隔をもって縦方向に直線的に延びる複数の切断部と、各切断部の上端から内側上方に傾斜して延びるガイド用切断部とを有する片ジッパー３２ａ，３２ａを、縦方向の中心線を線対称に一対設けたものである。この連結部材３１の外周縁であるジッパー３２の上端には、矩形状に突出する突片３３が設けられている。そして、前記連結部材３１は、前記ジッパー３２の両側が、前記箱体１０Ａ，１０Ｂにおいて、端壁１６と巻込片２２Ａ，２２Ｂとの間に挿入する一対の挿入部３４，３４を構成する。この挿入部３４には、端壁１６の係止部２８が挿入される矩形状の係止穴３５が設けられている。
【００２１】
次に、前記構成の箱体１０Ａ，１０Ｂおよび連結部材３１からなる包装箱の使用方法について説明する。
【００２２】
まず、図１に示すように、箱体１０Ａ，１０Ｂの底壁１１に対して側壁１２Ａ，１２Ｂを折り曲げた後、各側壁１２Ａ，１２Ｂに対して巻込片２２Ａ，２２Ｂを折り曲げる。そして、これら巻込片２２Ａ，２２Ｂの係合溝２４，２５を互いに噛み合わせるようにして係合させる。この際、図示のように、巻込片２２Ｂの外側に巻込片２２Ａを重畳させることが好ましい。このようにすれば、巻込片２２Ａの端縁が後述する連結部材３１の挿入時の妨げになることを防止できる。
【００２３】
ついで、底壁１１に対して端壁１６を折り曲げ、該端壁１６を巻込片２２Ａ，２２Ｂの外側に重畳させる。その後、端壁１６に対して桟部１８を折り曲げ、その第１ロック片２０を側壁１２Ａ，１２Ｂの第１ロック穴２１に係合させてロックするとともに、第２ロック穴２７に巻込片２２Ｂの第２ロック片２６を係合させてロックする。そして、このようにして組み立てた箱体１０Ａ，１０Ｂを、互いの側壁１２Ａ，１２Ｂが対向して隣接するように配置する。
【００２４】
ついで、図２に示すように、端壁１６と巻込片２２Ｂとの間に連結部材３１の挿入部３４を挿入する。この際、本実施形態では、連結部材３１の外周縁に中央に位置する突片３３を設けているため、この突片３３に箱体１０の側壁１２Ｂ，１２Ｂの上端が当接すると、挿入を止める。これにより、箱体１０Ａ，１０Ｂの係止部２８と連結部材３１の係止穴３５とが一致し、係止部２８を内向きに押圧して塑性変形させることにより、該係止部２８と連結部材３１の係止穴３５とを係止させる。即ち、連結部材３１の突片３３は、箱体１０Ａ，１０Ｂの連結作業時にストッパとしての役割をなすため、その連結作業性を非常に向上できる。
【００２５】
その後、箱体１０Ａ，１０Ｂの内部に切り花などの生花を収容させた後、図３に示すように、側壁１２Ｂに対して支持壁１４を折り曲げ、側壁１２Ａに対して蓋壁１３を折り曲げることにより、該蓋壁１３を支持壁１４上に重畳させ、粘着テープなどの所定の固着手段を用いて封緘する。これにより、一対の箱体１０Ａ，１０Ｂを連結部材３１により一体的に連結した包装箱が形成される。
【００２６】
なお、前記連結作業を含む包装箱の組立工程は一例であり、本実施形態の包装箱は作業者の希望に応じて種々の変更ができるものである。
【００２７】
例えば、箱体１０Ａ，１０Ｂは、底壁１１に対して端壁１６を折り曲げる前の状態（図１の箱体１０Ａの右側参照）で、互いの側壁１２Ｂ，１２Ｂを隣接させる。そして、箱体１０Ａ，１０Ｂの各巻込片２２Ａ，２２Ｂの外側に連結部材３１の挿入部３４が重畳するように配置し、この状態で、端壁１６を折り曲げるとともに桟部１８を折り曲げ、連結部材３１によって一体的に連結した箱体１０Ａ，１０Ｂを組み立てる。
【００２８】
または、各箱体１０Ａ，１０Ｂを組み立て、所定の生花を収容させた後、固着手段により蓋壁１３で封緘した後、互いの側壁１２Ｂ，１２Ｂが対向するように配置する。その後、端壁１６と巻込片２２Ｂとの間に連結部材３１の挿入部３４を挿入して、箱体１０Ａ，１０Ｂを一体的に連結する。
【００２９】
このように、本発明の包装箱は、板状をなす連結部材３１の挿入部３４を箱体１０Ａ，１０Ｂの端壁１６と巻込片２２との間に挿入した後、切り起こし構造の係止部２８を押し込んで連結部材３１の係止穴３５に挿入係止することにより、２以上の箱体１０Ａ，１０Ｂを一体的に連結できる。そして、その連結作業は、独立した箱体１０Ａ，１０Ｂの壁間に連結部材３１の挿入部３４を圧入して連結できるものであるため、箱体１０Ａ，１０Ｂの上端開口が閉塞されている状態、および、閉塞されていない状態のいずれでも可能である。そのため、生花の収納作業を含めて各作業者が希望に応じた梱包方法を選択できるため、利便性を大幅に向上できる。
【００３０】
また、箱体１０Ａ，１０Ｂは、切り起こし構造の係止部２８を設けただけであり、何ら打ち抜き部分を設けていないため、剛性の低下を防止できる。その結果、包装箱として連結した状態での剛性を非常に高いものとすることができる。さらに、箱体１０Ａ，１０Ｂの連結状態において、連結部材３１の挿入部３４が離脱する方向に外力が加わった場合、切り起こし構造をなす係止部２８の先端、即ち、連続部である折曲線２９と反対側の縁が、係止穴３５の内周縁に当接する。そのため、係止部２８が変形することにより係止が解除されることはなく、連結状態を確実に維持することができる。
【００３１】
一方、この連結状態の包装箱が納品された輸送先では、例えば一方の箱体１０Ａに収容された生花のみを取り出す場合、突片３３を把持して引っ張ることにより、図４に示すように、破断手段であるジッパー３２を介して連結部材３１を分割する。これにより、一体的に連結した箱体１０Ａ，１０Ｂを個別に開封および保管することができる。
【００３２】
なお、本発明の包装箱は、前記実施形態の構成に限定されるものではなく、種々の変更が可能である。
【００３３】
例えば、前記実施形態では、２個の箱体１０Ａ，１０Ｂを挿入による連結部材３１により一体的に連結したが、図６に示すように、端壁１６に切り起こし構造からなる係止部２８を一対に設けることにより、３以上の箱体１０Ａ，１０Ｂ，１０Ｃを一体的に連結することもできる。
【００３４】
また、前記実施形態では、底壁１１に対して端壁１６を立設した組立状態に維持するロック手段として、端壁１６に第１ロック片２０を備えた桟部１８を設け、側壁１２Ａ，１２Ｂの第１ロック穴２１に挿入係止する構成としたが、そのロック手段はこの構造に限定されるものではない。
【００３５】
さらに、前記実施形態では、連結部材３１の破断手段としてジッパー３２を設けたが、ポリプロピレンなどの樹脂テープを貼着することにより破断手段を構成してもよい。さらにまた、切り起こし構造からなる係止部２８の形状や切り起こし方向なども希望に応じて変形が可能である。
【００３６】
さらにまた、前記実施形態では、各箱体１０Ａ，１０Ｂの上端開口を閉塞する蓋壁１３を一体に設けたが、該蓋は別部品であってもよい。勿論、蓋が不要なトレイであっても、切り起こし構造の係止部２８および連結部材３１を設けることにより、同様に２以上を一体的に連結することができる。
【図面の簡単な説明】
【００３７】
【図１】本発明に係る実施形態の包装箱の分解斜視図である。
【図２】箱体の連結作業の一例を示す斜視図である。
【図３】箱体の連結状態を示す斜視図である。
【図４】包装箱の分割状態を示す斜視図である。
【図５】（Ａ）は箱体のブランクを示す平面図、（Ｂ）は連結部材のブランクを示す平面図である。
【図６】包装箱の変形例を示す分解斜視図である。
【符号の説明】
【００３８】
１０Ａ〜１０Ｃ…箱体
１１…底壁
１２Ａ，１２Ｂ…側壁
１３…蓋壁
１６…端壁
２０…第１ロック片（第１ロック手段）
２１…第１ロック穴（第１ロック手段）
２２Ａ，２２Ｂ…巻込片
２６…第２ロック片（第２ロック手段）
２７…第２ロック穴（第２ロック手段）
２８…係止部
３０…切断線
３１…連結部材
３２…ジッパー（破断手段）
３３…突片
３４…挿入部
３５…係止穴
【図１】
2007045428.tif 000003
【図２】
2007045428.tif 000004
【図３】
2007045428.tif 000005
【図４】
2007045428.tif 000006
【図５】
2007045428.tif 000007
【図６】
2007045428.tif 000008